(57)【要約】【課題】機能性、耐久性に優れ、清潔に使用することができ、トイレ使用中の退屈感をまぎらわすと共に、リラクセーション効果をも得ることができるリモコンを提供する。【解決手段】表示画面及び非接触式スイッチを有したリモコン。表示画面に映像表示が可能であり、映像表示中の画面に手を近づけると表示画面が非接触式の操作画面に切り替わる。【選択図】  図１
2004211504.tif 000002
【特許請求の範囲】
【請求項１】
表示画面及び非接触式スイッチを有したリモコンであって、
該表示画面に映像表示が可能であるリモコン。
【請求項２】
請求項１において、該表示画面は、テレビ映像とリラクセーション用映像とを表示可能であることを特徴とするリモコン。
【請求項３】
請求項１又は２において、該非接触式スイッチは指先の接近を検知するマイクロ波センサを有することを特徴とするリモコン。
【請求項４】
請求項１ないし３のいずれか１項において、映像表示中の該表示画面に手を近づけると、該表示画面が操作画面に切り替わることを特徴とするリモコン。
【請求項５】
請求項１ないし４のいずれか１項において、スピーカーを有することを特徴とするリモコン。
【請求項６】
請求項１ないし５のいずれか１項において、少なくとも温水洗浄装置を操作するための非接触式スイッチを備えたトイレ用リモコンであることを特徴とするリモコン。
【発明の詳細な説明】
【０００１】
【発明の属する技術分野】
本発明は、洋風便器の温水洗浄装置等のトイレ用機器を操作するトイレ用リモコンとして好適なリモコンに関する。
【０００２】
【従来の技術】
温水洗浄装置は、周知の通り、洋風便器に着座した人体の臀部に温水を噴射してその洗浄を行うものであり、濡れた臀部を乾かすための温風乾燥装置や便鉢内の臭気含有空気を除臭処理するための脱臭装置等を付帯することもある。暖房便座は、便座にヒータを設けたものである。
【０００３】
これらのトイレ用機器の操作を行うためにトイレルームの壁面等にリモコンを設けることがある。
【０００４】
トイレ用リモコンの操作盤には、肛門洗浄用操作スイッチ（シャワースイッチ）、ビデ洗浄用操作スイッチ、温風を吹き出させるドライスイッチや、温水量、温水温度、温風量、温風温度の調節スイッチ等の温水洗浄装置用スイッチが設けられている。また、便座温度調節スイッチ等の暖房便座用スイッチ、更には脱臭装置用スイッチが設けられているものもある。
【０００５】
このようなトイレ用リモコンの操作スイッチを指で直接触れて操作することに抵抗を感じる使用者もおり、また、スイッチに機械的な押圧力が必要以上に加わった場合には、操作スイッチの故障の原因ともなる。このため、従来、操作盤に液晶表示の操作画面を設け、各種の操作スイッチを非接触式としたトイレ用リモコンが提案されている（特開平１０−１１０４５８号公報）。
【０００６】
また、トイレ使用中の退屈感をまぎらわすために、トイレ用リモコンの操作盤に文字放送の文字を表示する液晶画面を設けたものも提案されている（特開２００１−１９３１２５号公報）。
【０００７】
一方、台所の壁面に設けられる給湯器操作用リモコンとして、テレビ画面と操作画面とを切り換えることが可能なリモコンも提案されている（特開２００１−１２７９６号公報）。
【０００８】
【特許文献１】
特開平１０−１１０４５８号公報
【特許文献２】
特開２００１−１９３１２５号公報
【特許文献３】
特開２００１−１２７９６号公報
【０００９】
【発明が解決しようとする課題】
特開平１０−１１０４５８号公報のトイレ用リモコンでは、スイッチを非接触式とすることにより、トイレ用リモコンを衛生的に操作することができるが、このトイレ用リモコンでは、スイッチ操作しか行うことができず、トイレ使用中の退屈感をまぎらわしたり、リラックス感を高めたりすることはできない。
【００１０】
特開２００１−１９３１２５号公報のトイレ用リモコンでは、文字放送を見ることができ、退屈感をまぎらわすことはできるが、十分ではなく、また、リラックス感を得ることはできない。また、このトイレ用リモコンの操作スイッチは接触式であるため、複数の人が指で触れることに対して抵抗を感じる使用者もおり、また、公共的なトイレでは乱暴に操作されて故障するおそれもある。
【００１１】
特開２００１−１２７９６号公報のリモコンでは、操作画面とテレビ画面との切り換えが可能である。しかし、このリモコンの操作スイッチは液晶表示画面に直接触れる接触式とされている。即ち、このリモコンは、台所の壁面に取り付けられるものであり、指で触れることに対する不潔感はなく、むしろ、立ったままの姿勢ですばやくスイッチ操作することが求められているために、スイッチは接触式とされている。しかし、このようなリモコンをトイレ用リモコンとしてそのまま適用すると、接触式スイッチを操作することに対する抵抗を感じ、また、指で触れることは、液晶表示画面の汚れの原因ともなる。
【００１２】
本発明は上記従来の問題点を解決し、特に、洋風便器の温水洗浄装置等のトイレ用機器を操作するトイレ用リモコンとして好適なリモコンであって、機能性、耐久性に優れ、清潔に使用することができ、トイレ使用中の退屈感をまぎらわすと共に、リラクセーション効果をも得ることができるリモコンを提供することを目的とする。
【００１３】
【課題を解決するための手段】
本発明のリモコンは、表示画面及び非接触式スイッチを有したリモコンであって、該表示画面に映像表示が可能であることを特徴とする。
【００１４】
本発明のリモコンでは、非接触式スイッチを有するため、清潔に使用することができ、また、故障のおそれもなく、汚れも付きにくい。また、表示画面にテレビやリラクセーション用の映像を表示することができるため、退屈感をまぎらわすことができ、リラックス効果を得ることもできる。
【００１５】
本発明において、非接触式スイッチは指先の接近を検知するマイクロ波センサを有するものが好適である。また、映像表示中の画面に手を近づけることにより、表示画面が操作画面に切り替わるものであることが好ましく、更に、スピーカーを有することが好ましい。
【００１６】
このような本発明のリモコンは、温水洗浄装置や暖房便座、更には脱臭装置等を操作するための非接触式スイッチを備えたトイレ用リモコンとして好適である。
【００１７】
【発明の実施の形態】
以下に図面を参照して本発明のリモコンの実施の形態を詳細に説明する。
【００１８】
図１（ａ）は本発明のリモコンの実施の形態を示す正面図、図１（ｂ）は図１（ａ）のＢ−Ｂ線に沿う断面図である。図２は、図１のリモコンの液晶表示装置の表示画面の一例を表す正面図である。
【００１９】
リモコン１０は、中空の長方形盤状のケーシング１１と、該ケーシング１１の前面の下辺部以外の大部分を占めるように配置された液晶表示装置１２と、該液晶表示装置１２の裏面に配置された複数のマイクロ波センサ１３（１３ａ，１３ｂ，１３ｃ，１３ｄ，１３ｅ。ただし、１３ｂ，１３ｃ，１３ｅは図示略。）と、液晶表示装置１２の下側にリモコン１０の下辺に沿って設けられた開閉蓋１４と、該開閉蓋１４で閉鎖された凹部内に配置されたスイッチパネル１５と、該スイッチパネル１５の裏側に配置された複数の調節スイッチ１６と、スピーカー１７等を備えている。
【００２０】
マイクロ波センサ１３及び調節スイッチ１６は、回路基板１８上に搭載されている。この回路基板１８には、液晶駆動回路、テレビ放送信号の受信回路のほか、マイクロ波センサ１３ａ〜１３ｅの信号を処理して温水洗浄装置操作信号を発信するための発信回路等も搭載されている。
【００２１】
マイクロ波センサ１３ａ〜１３ｅは、この実施の形態では、指先までの距離を検知する２周波式測距用マイクロ波センサよりなる。マイクロ波センサ１３ａ〜１３ｅのいずれかに対し特定距離以内（例えば７ｍｍ以内）にまで指先が接近すると発信回路は操作信号を発信する。
【００２２】
液晶表示装置１２は映像画面と操作画面表示とが可能であり、操作画面が表示されているときには、「おしり」「ビデ」「温風」「映像」の４個のアイコンが表示される。アイコン「おしり」の裏側にマイクロ波センサ１３ａが配置され、アイコン「ビデ」の裏側にマイクロ波センサ１３ｂが配置され、アイコン「温風」の裏側にマイクロ波センサ１３ｃが配置され、アイコン「止」の裏側にマイクロ波センサ１３ｄが配置され、アイコン「映像」の裏側にマイクロ波センサ１３ｅが配置されている。
【００２３】
アイコン「おしり」又は「ビデ」に指を近づけると、画面は図２（ａ）に示す洗浄画面に切り替わり、「洗浄強さ」、「温水温度」を操作するための各アイコン及びアイコン「止」、アイコン「前画面」が表示されると共に、シャワーノズルから温水が噴出する。
【００２４】
この温水噴出中に、必要に応じて洗浄強さ、温水温度を画面上で調節することができる。なお、アイコン「洗浄強さ」の裏側にマイクロ波センサ１３ａが位置し、アイコン「温水温度」の裏側にマイクロ波センサ１３ｂが位置し、アイコン「前画面」の裏側にマイクロ波センサ１３ｃが位置し、アイコン「止」の裏側にマイクロ波センサ１３ｄが位置する。
【００２５】
このアイコン「洗浄強さ」に指を近づけると、図２（ｂ）の画面が表示され、「強くする」、「弱くする」、「前画面」、「止」の４アイコンと、洗浄強さのレベルを表示するラインが表示される。アイコン「弱くする」の裏側にマイクロ波センサ１３ａが位置し、アイコン「強くする」の裏側にマイクロ波センサ１３ｂが位置し、アイコン「前画面」の裏側にマイクロ波センサ１３ｃが位置し、アイコン「止」の裏側にマイクロ波センサ１３ｄが位置する。この「強くする」又は「弱くする」に指を近づけることにより、噴出水量が調整される。「止」に指を近づけると、洗浄が停止すると共に、図１（ａ）の画面に戻る。「前画面」に指を近づけると、図２（ａ）の画面に戻る。
【００２６】
図２（ａ）において、アイコン「温水温度」に指を近づけると図２（ｃ）の表示に切り替わり、「高くする」、「低くする」、「前画面」、「止」の４アイコンと、温度のレベルを表示するラインが表示される。アイコン「低くする」の裏側にマイクロ波センサ１３ａが位置し、アイコン「高くする」の裏側にマイクロ波センサ１３ｂが位置し、アイコン「前画面」の裏側にマイクロ波センサ１３ｃが位置し、アイコン「止」の裏側にマイクロ波センサ１３ｄが位置する。この「高くする」又は「低くする」に指を近づけることにより、噴出水量が調整される。「止」に指を近づけると、洗浄が停止すると共に、図１（ａ）の画面に戻る。「前画面」に指を近づけると、図２（ａ）の画面に戻る。
【００２７】
図２（ａ）において、「前画面」に指を近づけると、図１（ａ）の画面に戻り、「止」に指を近づけると洗浄が停止すると共に図１（ａ）の画面に戻る。
【００２８】
図１（ａ）において、「温風」に指を近づけると温風の吹出が開始すると共に図２（ｃ）の画面が表示される。図２（ｃ）において「高くする」又は「低くする」に指を近づけて温風温度の調整が可能であると共に、「前画面」に指を近づけると図１（ａ）の画面に戻り、「止」に指を近づけると温風吹出が停止すると共に、図１（ａ）の画面に戻る。
【００２９】
図１（ａ）において、「止」に指を近づけると、それまでシャワー洗浄、ビデ洗浄又は温風乾燥が実行されていたときにはその作動が停止する。
【００３０】
図１（ａ）において、「映像」に指を近づけると、テレビ画面になる。映像表示中の画面に手を近づけると図１（ａ）の操作画面に切り替わる。
【００３１】
開閉蓋１４を開けて調節スイッチ１６を操作することにより、テレビのチャンネルや音量、画質を調節できる。また、調節スイッチ１６を操作することにより、テレビとリラクセーション用の映像表示とを切り替えることができる。このリラクセーション用の表示としては、花、田園風景などの画面が例示される。
【００３２】
このような本発明のリモコン１０であれば、トイレ使用中に液晶表示装置１２の表示画面でテレビやリラクセーションの映像を見ることができ、退屈感がなく、またリラックス効果を得ることができる。そして、シャワー洗浄等を行う場合には、表示画面に手を近づけて、操作画面に切り替え、各アイコンに指を近づけるのみで非接触式で快適に洗浄操作を行うことができる。
【００３３】
なお、図１に示すリモコンは、本発明のリモコンの実施の形態の一例であって、本発明はその要旨を超えない限り、何ら図示のものに限定されるものではない。
【００３４】
例えば、画面切り替えは、画面に手を近づけることにより、テレビ映像とリラクセーション用映像とで相互に切り替わり、再度手を近づけることにより操作画面に切り替わるような設定とされていても良い。この場合、操作画面でアイコン「映像」に手を近づけた場合には、テレビとリラクセーション用映像のうちの直前の映像に戻るようにすることができる。
【００３５】
また、操作画面の操作スイッチとしては、温水洗浄装置用のスイッチに限らず、更に暖房便座用スイッチや脱臭装置用スイッチが設けられていても良い。この場合、操作画面の切り替えを複数段階で行うようにすることにより、画面上のアイコン数を少なくして、誤操作を防止することができる。
【００３６】
更に、スピーカー１７からは、テレビやリモコン用の音を流すに限らず、ラジオ放送を流すようにすることもでき、また、操作内容を音声表示させるようにしても良い。即ち、例えば、表示画面において、「おしり」アイコンに指を近づけた場合に、「シャワー洗浄を行います。」と音声表示し、温水温度を「高くする」アイコンに指を近づけた場合には「温水温度を上げます。」と音声表示し、「前画面」アイコンに指を近づけた場合には、「前画面に戻ります。」と音声表示するように設定することができる。この場合には、年配者にも使い易く、誤操作を防止することができる。
【００３７】
更に、表示画面には文字放送や時刻、気温、湿度等を表示させるようにすることもできる。
【００３８】
このような本発明のリモコンは、特に、温水洗浄装置等のトイレ用機器を操作するトイレ用リモコンとして好適であるが、これに限らず、浴室壁面に取り付ける風呂用給湯器等を操作するリモコンや、サウナ室壁面に取り付けられる温度操作用リモコンとしても好適である。
【００３９】
【発明の効果】
以上詳述した通り、本発明によれば、機能性、耐久性に優れ、清潔に使用することができ、退屈感をまぎらわすと共に、リラクセーション効果をも得ることができるリモコンが提供される。
【００４０】
本発明のリモコンは、特に、洋風便器の温水洗浄装置等のトイレ用機器を操作するトイレ用リモコンとして好適であり、トイレを快適に使用することができる。
【図面の簡単な説明】
【図１】図１（ａ）は本発明のリモコンの実施の形態を示す正面図、図１（ｂ）は図１（ａ）のＢ−Ｂ線に沿う断面図である。
【図２】図１のリモコンの表示画面の一例を表す正面図である。
【符号の説明】
１０  リモコン
１１  ケーシング
１２  液晶表示装置
１３  マイクロ波センサ
１４  開閉蓋
１５  スイッチパネル
１６  調節スイッチ
１７  スピーカー
１８  回路基板
【図１】
2004211504.tif 000003
【図２】
2004211504.tif 000004